(57)【要約】【課題】２本の長尺材を容易に連結することが可能な長尺材の連結構造を提供する。【解決手段】２本の長尺材と、前記２本の長尺材に掛け渡される長尺材連結材と、を有し、各々の前記長尺材は、基準となる長尺材側基準孔と、前記長尺材側基準孔に基づいて配置されボルトが挿通される複数の挿通孔と、を有し、前記長尺材連結材は、基準となる２つの連結材側基準孔と、前記連結材側基準孔に基づいて配置され前記ボルトが螺合される複数の螺合孔と、を有し、前記２つの連結材側基準孔の位置と各々の前記長尺材の前記長尺材側基準孔の位置とが一致している状態で連結されている。【選択図】図２
2020111884.tif 000002
【特許請求の範囲】
【請求項１】
２本の長尺材と、
前記２本の長尺材に掛け渡される長尺材連結材と、
を有し、
各々の前記長尺材は、基準となる長尺材側基準孔と、前記長尺材側基準孔に基づいて配置されボルトが挿通される複数の挿通孔と、を有し、
前記長尺材連結材は、基準となる２つの連結材側基準孔と、前記連結材側基準孔に基づいて配置され前記ボルトが螺合される複数の螺合孔と、を有し、
前記２つの連結材側基準孔の位置と各々の前記長尺材の前記長尺材側基準孔の位置とが一致している状態で連結されていることを特徴とする長尺材の連結構造。
【請求項２】
請求項１に記載の長尺材の連結構造であって、
前記２本の長尺材は、互いの小口が突き合わされて連結されており、
前記２つの連結材側基準孔の間隔に基づいて、各々の前記長尺材における前記長尺材側基準孔に対する前記小口の位置が設定されていることを特徴とする長尺材の連結構造。
【請求項３】
請求項１または請求項２に記載の長尺材の連結構造であって、
各々の前記長尺材は、長手方向に貫通し断面が同一の矩形状の中空部を備えており、
前記長尺材連結材は、断面が矩形状をなして前記２本の長尺材の前記中空部内に挿入されており、
前記２つの連結材側基準孔と前記螺合孔とは、前記長尺材連結材の同一平面をなす外側面に設けられていることを特徴とする長尺材の連結構造。
【請求項４】
請求項１乃至請求項３のいずれかに記載の長尺材の連結構造であって、
前記連結材側基準孔と前記長尺材側基準孔とは、それらを挿通する挿通部材により位置が一致されており、
前記挿通部材は、前記連結材側基準孔及び前記長尺材側基準孔に嵌入される円柱部を有しており、
前記円柱部の長さは、前記長尺材の肉厚と、前記長尺材連結材の肉厚とを加えた厚みよりも長いことを特徴とする長尺材の連結構造。
【請求項５】
請求項４に記載の長尺材の連結構造であって、
前記連結材側基準孔及び前記長尺材側基準孔と前記円柱部とのクリアランスは、前記挿通孔と前記ボルトとのクリアランスより小さいことを特徴とする長尺材の連結構造。
【発明の詳細な説明】
【技術分野】
【０００１】
本発明は、２本の長尺材を連結する長尺材の連結構造に関する。
【背景技術】
【０００２】
従来、２本の長尺材を連結する長尺材の連結構造としては、例えば、長手方向に連ねた２本の梁部材の外側間に跨がって配置される第１プレートと、２本の梁部材を挟んで第１プレートに対向配置される第２プレートとを有し、第１プレート、第２プレート、及び、梁部材を貫通するボルトにナットを締め込むことにより２本の梁部材を連結する梁部材の接合構造が知られている（例えば、特許文献１参照）。梁には、大きな荷重が作用するので、２本の梁部材に跨がる部材を介してボルトとナットにて連結する場合には、数多数のボルトが用いられている。
【先行技術文献】
【特許文献】
【０００３】
【特許文献１】特開平４−１６６５２７号公報
【発明の概要】
【発明が解決しようとする課題】
【０００４】
上記梁部材の接合構造のように、数多くのボルトを用いる場合には、各々のボルトを第１プレート、第２プレート、及び、梁部材のように複数の部材を挿通させるので、複数の部材に各々設けられている、ボルトが挿通される多数の孔が全て重なる状態としてボルトを挿通させることは難しい。このため、例えば、より離れた位置に設けられている孔からボルトを挿通させ、各ボルトの締める順序を考えつつボルトを挿通させてボルトを締め込まなければならない。また、ある孔のボルトを締めることにより、他の孔にボルトが挿通できなくなった場合には、既に締めたボルトを緩めて締め直さなければならないため、作業が煩雑であるという課題がある。
【０００５】
本発明は、かかる課題に鑑みてなされたものであり、その目的とするところは、２本の長尺材を容易に連結することが可能な長尺材の連結構造を提供することにある。
【課題を解決するための手段】
【０００６】
かかる目的を達成するために本発明の長尺材の連結構造は、２本の長尺材と、前記２本の長尺材に掛け渡される長尺材連結材と、を有し、各々の前記長尺材は、基準となる長尺材側基準孔と、前記長尺材側基準孔に基づいて配置されボルトが挿通される複数の挿通孔と、を有し、前記長尺材連結材は、基準となる２つの連結材側基準孔と、前記連結材側基準孔に基づいて配置され前記ボルトが螺合される複数の螺合孔と、を有し、前記２つの連結材側基準孔の位置と各々の前記長尺材の前記長尺材側基準孔の位置とが一致している状態で連結されていることを特徴とする長尺材の連結構造である。
本発明の他の特徴については、本明細書及び添付図面の記載により明らかにする。
【発明の効果】
【０００７】
本発明によれば、２本の長尺材を容易に連結することが可能である。
【図面の簡単な説明】
【０００８】
【図１】本発明の長尺材の連結構造をなす梁の一使用例であるカーポートを示す図である。
【図２】梁の構成を示す分解斜視図である。
【図３】梁を長手方向に沿って切断した縦断面図である。
【図４】梁を幅方向に沿って切断した縦断面図である。
【図５】梁を下方から見た図である。
【図６】梁部材の下面部を示す図である。
【図７】図３におけるＡ部の拡大図である。
【図８】梁連結材の下面を示す図である。
【図９】下連結材の当接板部を示す図である。
【図１０】２本の梁部材を連結する方法を示す図である。
【発明を実施するための形態】
【０００９】
以下、本発明の一実施形態に係る長尺材の連結構造について図面を参照して説明する。
本実施形態においては、例えば、図１に示すように、３台の車両２を並べて駐車可能な３台用のカーポート１に用いられ、３台が並ぶ間口に沿うように掛け渡され、２本の長尺材としての梁部材３０が連結されている前梁(以下、梁という)３を例に挙げて説明する。
【００１０】
本実施形態の梁３は、カーポート１が有する４本の柱４のうち、車両２の進入方向において手前側に立設されている２本の柱４の上端間に架け渡されている。図１の例では、梁３の上方に、梁３に設けられた束材５を介して屋根６が設けられている。
【００１１】
以下の説明においては、梁３が、カーポート１に組み込まれている状態で、上下となる方向を上下方向、間口に沿う方向であり梁３の長手となる方向を長手方向または左右方向、カーポート１の奥行きとなる方向を幅方向として示す。また、梁３を構成する各部材については単体の状態であっても、梁３がカーポート１に組み込まれている状態にて上下方向、左右方向または長手方向、幅方向にて方向を特定して説明する。尚、図面においては、同一図面において複数示されている部材の符号を一部省略している。
【００１２】
梁３は、図２〜図４に示すように、連結される２本の梁部材３０と、２本の梁部材３０内に挿入されて掛け渡される長尺材連結材としての梁連結材３１と、２本の梁部材３０の下面部３０ｆに掛け渡される下連結材３２と、２本の梁部材３０に嵌合されて下側を覆う下カバー３３と、各梁部材３０の上に固定される梁化粧材３４と、を有している。
【００１３】
梁３は、２本の梁部材３０が長手方向に連ねて配置され互いの小口３０ａが突き合わされるとともに内部に梁連結材３１が挿入されている。梁３の下側では、図５に示すように、２本の梁部材３０に跨がって当接される下連結材３２とともに２本の梁部材３０が梁連結材３１にボルト７及びドリルねじ８により固定されている。梁３の上側では、２本の梁部材３０の各々と梁化粧材３４とが２本の梁部材３０に掛け渡されている梁連結材３１にボルト７により固定されている。以下、詳述する。
【００１４】
連結される２本の梁部材３０は、長手方向に貫通する中空部３０ｂを有するアルミニウム製の押出成形部材であって、同一の部材である。各梁部材３０は、図４に示すように、断面形状がほぼ矩形状をなす中空部３０ｂを形成する梁本体部３０ｃと、梁本体部３０ｃよりも下方に延出された下延出部３０ｄと、を有している。
【００１５】
梁本体部３０ｃは、幅方向において対向する梁壁部３０ｅと、梁壁部３０ｅの下端同士を繋ぐ下面部３０ｆと、対向する梁壁部３０ｅの上端部から各々対向する側に僅かに延出された対向延出部３０ｇと、各対向延出部３０ｇの先端から上方に立ち上がる立ち上がり部３０ｈと、立ち上がり部３０ｈの上端同士を繋ぐ上面部３０ｉと、を有している。下延出部３０ｄは、梁壁部３０ｅと繋がって下面部３０ｆよりも下方に延出され、幅方向において互いに対向している。
【００１６】
各梁部材３０の下面部３０ｆには、図６に示すように、連結される端部側に、梁連結材３１とともに挿通部材としてのピン９が挿通される２つ長尺材側基準孔としての梁側基準孔３０ｊと、梁連結材３１に螺合されるボルト７が下連結材３２とともに挿通される８個の梁挿通孔３０ｋと、が設けられている。ピン９は、図７に示すように、直径が同一の円柱部９ａと、円柱部９ａと繋がって先端側の直径が円柱部９ａの直径より漸次小さくなるテーパ部９ｂとを有している。
【００１７】
２つの梁側基準孔３０ｊは、連結される梁部材３０の突き合わされる小口３０ａに対して、８個の梁挿通孔３０ｋよりも離れた側に配置されている。８個の梁挿通孔３０ｋは、長手方向に互いに間隔を空けて配置された４個ずつの梁挿通孔３０ｋが、幅方向に２列に設けられており、４個ずつ並べられた梁挿通孔３０ｋの、小口３０ａとは反対側に梁側基準孔３０ｊがそれぞれ梁挿通孔３０ｋと間隔を空けて設けられている。すなわち、長手方向に並べられた４個の梁挿通孔３０ｋは、小口３０ａと梁側基準孔３０ｊとの間に配置されている。
【００１８】
８個の梁挿通孔３０ｋ、及び、突き合わされる小口３０ａの位置は、２つの梁側基準孔３０ｊのいずれか一方に基づいて、すなわち、２つの梁側基準孔３０ｊのいずれか一方を基準として設定されており、押出成形された部材にＮＣ加工が施されて各梁部材３０が形成されている。また、上面部３０ｉには、下面部３０ｆに設けられている８個の梁挿通孔３０ｋのうちの小口３０ａ側に設けられている６つの梁挿通孔３０ｋと対向する位置に梁挿通孔３０ｋが設けられている。
【００１９】
梁連結材３１は、アルミニウム・亜鉛合金めっき鋼板を断面がコ字状をなすように曲げ加工を施した２つの連結鋼材３１０を、図４に示すように、互いの開放された側を幅方向に向かい合わせて接合し、断面が矩形状の角パイプ状をなしている。２つの連結鋼材３１０は、開放されている側の先端同士を重なり合わせて溶接されている。このとき、溶接した後の外周側の接合面が平坦になるように、重ねる一方の連結鋼材３１０の端部は、ほぼ板厚分、段曲げされている。溶接された梁連結材３１は、長手方向に貫通する矩形状の中空部３１ａを有している。
【００２０】
梁連結材３１の長手方向の長さは、２本の梁部材３０の小口３０ａ同士を突き合わせたときの、一方の梁部材３０の梁側基準孔３０ｊと他方の梁部材３０の梁側基準孔３０ｊとの間隔より長く形成されている。また、梁連結材３１の幅は、梁本体部３０ｃが有する２つの立ち上がり部３０ｈの間隔よりも僅かに狭く、梁連結材３１の高さは、梁本体部３０ｃの上面部３０ｉと下面部３０ｆとの間隔よりも僅かに低く形成されている。
【００２１】
梁連結材３１の下外面部３１ｂには、図８に示すように、長手方向における両端部側にそれぞれ、梁側基準孔３０ｊに挿通されるピン９が挿通される連結材側基準孔３１ｃと、両端部側に２つずつ設けられた連結材側基準孔３１ｃの間に、各梁連結材３１の梁挿通孔３０ｋに挿通されたボルトが螺合される１６個の螺合孔３１ｄと、が設けられている。ここで、梁連結材３１の下面３１ｅが梁連結材３１の同一平面をなす外側面に相当する。
【００２２】
梁部材３０に設けられている梁側基準孔３０ｊと梁連結材３１に設けられている連結材側基準孔３１ｃとは同一の直径であり、ピン９の円柱部９ａが嵌入可能に、ピン９の円柱部９ａの直径より僅かに大きく形成されている。また、梁部材３０に設けられている梁挿通孔３０ｋは、ボルト７が挿通可能に、ボルト７の直径よりも僅かに大きく形成されている。そして、ピン９の円柱部９ａと梁側基準孔３０ｊ及び連結材側基準孔３１ｃと、ボルト７と梁挿通孔３０ｋとは、いずれも僅かなクリアランスを有しているが、ピン９の円柱部９ａと梁側基準孔３０ｊ及び連結材側基準孔３１ｃとのクリアランスの方が、ボルト７と梁挿通孔３０ｋとのクリアランスより小さく設定されている。
【００２３】
４個の連結材側基準孔３１ｃの長手方向における間隔は、２本の梁部材３０の小口３０ａ同士を突き合わせたときの、一方の梁部材３０の梁側基準孔３０ｊと他方の梁部材３０の梁側基準孔３０ｊとの間隔と一致するように、一方の端側に設けられる連結材側基準孔３１ｃに対して他方の端側に設けられる連結材側基準孔３１ｃの位置が設定されている。また、長手方向において、一方の端部側に配置される８個の螺合孔３１ｄは、一方の端側に設けられる連結材側基準孔３１ｃを基準として設定されており、他方の端部側に配置される８個の螺合孔３１ｄは、他方の端側に設けられる連結材側基準孔３１ｃを基準として設定されている。
【００２４】
より具体的には、梁連結材３１の一方の端側に配置された２個の連結材側基準孔３１ｃ及び８個の螺合孔３１ｄと、他方の端側に配置された２個の連結材側基準孔３１ｃ及び８個の螺合孔３１ｄとは、梁連結材３１の長手方向における中央の位置から振り分けて線対称の位置に配置されている。また、一方の端側に配置された８個の螺合孔３１ｄのうちの最も他端側に配置された２個の螺合孔３１ｄと、他方の端側に配置された８個の螺合孔３１ｄのうちの最も一端側に配置された２個の螺合孔３１ｄと、長手方向における間隔は、他の螺合孔３１ｄの長手方向における間隔よりも広く設けられている。
【００２５】
そして、梁連結材３１を連結する２本の梁部材３０に掛け渡すように中空部３０ｂ内に挿入し、各梁部材３０の小口３０ａを当接させ、各梁部材３０の梁側基準孔３０ｊと梁連結材３１の連結材側基準孔３１ｃとにピン９を嵌入すると、２本の梁部材３０の互いの小口３０ａが突き合わされて当接した状態で、各梁挿通孔３０ｋと各螺合孔３１ｄとがほぼ中心が揃い重なり合うように構成されている。
【００２６】
梁連結材３１の上面には、下外面部３１ｂに設けられている１６個の螺合孔３１ｄのうちの長手方向における中央側に設けられている１２個の螺合孔３１ｄと対向する位置に螺合孔３１ｄが設けられている。
【００２７】
下連結材３２は、アルミニウム・亜鉛合金めっき鋼板を断面がコ字状をなすように曲げ加工を施して形成されている。下連結材３２は、図４に示すように、梁３の下面部３０ｆと対面して下方から当接される当接板部３２ａと、当接板部３２ａの幅方向における両縁から各々垂設される垂設板部３２ｂと、を有している。下連結材３２の長手方向の長さは、梁連結材３１の長手方向における中央側に設けられている１２個の螺合孔３１ｄが設けられている領域を覆い、残り４個の螺合孔３１ｄに当接板部３２ａが被らない長さに設定され、幅方向の幅は、梁連結材３１の幅方向の幅と同じ幅に形成されている。
【００２８】
当接板部３２ａには、梁連結材３１を２本の梁部材３０の中空部３０ｂ内に挿入し、各梁部材３０の小口３０ａを当接させてピン９を嵌入させた状態で、当該当接板部３２ａを２本の梁部材３０の下面部３０ｆに当接させたときに、図９に示すように、梁連結材３１の長手方向における中央側に設けられている１２個の螺合孔３１ｄと重なる位置に、ボルト７が挿通される１２個の補強材挿通孔３２ｃと、１２個の補強材挿通孔３２ｃの周りにドリルねじ８が螺合される位置を示す複数の位置指示孔３２ｄと、が設けられている。ここで、ドリルねじ８とは、回転にすることにより下孔を開け、タップを立て、締め付けることができるねじを示している。
【００２９】
梁連結材３１に設けられている螺合孔３１ｄと重なる位置に設けられている１２個の補強材挿通孔３２ｃは、下連結材３２の長手方向における中央の位置から振り分けて線対称の位置に配置されている。１２個の補強材挿通孔３２ｃのうちの長手方向に並ぶ６個の補強材挿通孔３２ｃは、中央側に位置する２個の補強材挿通孔３２ｃの間隔が、他の補強材挿通孔３２ｃの間隔より広く設けられている。
【００３０】
複数の位置指示孔３２ｄは、ドリルねじ８の直径よりも僅かに小さな下孔の直径よりも更に小さく形成されている。位置指示孔３２ｄは、長手方向に並ぶ６個の補強材挿通孔３２ｃの間と、幅方向に並ぶ２個の補強材挿通孔３２ｃの間とにそれぞれ設けられている。長手方向に並ぶ６個の補強材挿通孔３２ｃの間には、中央側に位置する２個の補強材挿通孔３２ｃ間に２個と、その他の互いに隣り合う２個の補強材挿通孔３２ｃ間に１個ずつ位置指示孔３２ｄが設けられている。幅方向に並ぶ２個の補強材挿通孔３２ｃの間には、それぞれ２個ずつ位置指示孔３２ｄが設けられている。
【００３１】
次に、２本の梁部材３０を連結する方法について説明する。
図１０に示すように、２本の梁部材３０を連結する場合には、まず、２本の梁部材３０の下面部３０ｆ及び梁連結材３１の下外面部３１ｂ側が上方に向くように配置しておく（梁部材配置ステップＳ１）。次に、一方の梁３の中空部３０ｂに梁連結材３１を挿入し、梁側基準孔３０ｊと連結材側基準孔３１ｃとにピン９のテーパ部９ｂを挿通させる。次に、梁連結材３１の反対側を、他方の梁３に挿入し、他方の梁側の梁側基準孔３０ｊと連結材側基準孔３１ｃにピン９のテーパ部９ｂを挿通させる。
【００３２】
次に、テーパ部９ｂが挿通されているピン９をハンマー等により打ち込んで、ピン９の円柱部９ａを梁側基準孔３０ｊと連結材側基準孔３１ｃとに嵌入させる（ピン嵌入ステップＳ２）。このとき、２本の梁３の小口３０ａ同士は突き合わされて当接した状態となり、各梁挿通孔３０ｋと各螺合孔３１ｄとがほぼ中心が揃い重なり合う。このため、ピン９の円柱部９ａは、梁部材３０の下面部３０ｆの肉厚と梁連結材３１の肉厚とを合わせた厚みよりも長く形成されている。
【００３３】
次に、嵌入されているピン９の隣に位置する４個の梁挿通孔３０ｋにボルト７を挿通し、各々螺合孔３１ｄに螺合する。この状態で、２本の梁部材３０と梁連結材３１とが梁部材３０の下面部３０ｆ側にて接合されている。
【００３４】
次に、下連結材３２の当接板部３２ａが、２本の梁部材３０の下面部３０ｆに跨がって当接するように下連結材３２を２本の梁部材３０の下面部３０ｆ上に配置する。このとき、下連結材３２に設けられている各補強材挿通孔３２ｃと、ボルト７が挿通されていない各梁挿通孔３０ｋ及び各螺合孔３１ｄとが重なり合うように下連結材３２を配置する。次に、重なり合う各補強材挿通孔３２ｃ及び各梁挿通孔３０ｋに挿通させたボルト７を各螺合孔３１ｄに螺合する（下側接合ステップＳ３）。この状態で、２本の梁部材３０、梁連結材３１、及び、下連結材３２が一体化されている。
【００３５】
次に、下連結材３２に設けられている各位置指示孔３２ｄに順次ドリルを当てて、下連結材３２の当接板部３２ａ、梁部材３０の下面部３０ｆ、及び、梁連結材３１の下外面部３１ｂを貫通し、位置指示孔３２ｄよりも僅かに大きな直径をなす、ドリルねじ８用の下孔を形成する。次に、形成した各下孔にドリルねじ８を螺合する。この状態で、アルミニウム製の各梁部材３０の下面部３０ｆが、アルミニウム・亜鉛合金めっき鋼板製の梁連結材３１の下外面部３１ｂと下連結材３２の当接板部３２ａとにより挟持された状態でより密着した状態となる（ドリルねじ螺合ステップＳ４）。ここで、梁連結材３１の下外面部３１ｂと、下連結材３２の当接板部３２ａとが、板状部を両面側から挟む２つの連結板部に相当する。また、ドリルねじ８を螺合した後にはピン９を抜きとっても構わない。
【００３６】
次に、一体化された２本の梁部材３０、梁連結材３１、及び、下連結材３２を、梁部材３０の上面部３０ｉ側が上方に向くように配置する。
次に、２本の梁部材３０上に各々梁化粧材３４を載置し、梁化粧材３４に設けられている化粧材挿通孔３４ａと、梁部材３０の上面部３０ｉに設けられた梁挿通孔３０ｋに挿通させたボルト７を各々螺合孔３１ｄに螺合して（上側接合ステップＳ５）、２本の梁部材３０を連結が完了する。
【００３７】
本実施形態の梁部材３０の連結構造によれば、梁連結材３１に設けられている２つの連結材側基準孔３１ｃが、２本の梁部材３０に各々設けられている梁側基準孔３０ｊと一致している状態で２本の梁部材３０が連結されるので、連結材側基準孔３１ｃに基づいて配置されている複数の螺合孔３１ｄと、各梁部材３０に設けられている複数の梁挿通孔３０ｋの位置とが一致する。このため、重なるべき梁挿通孔３０ｋと螺合孔３１ｄとの位置が全て重なる状態に、２本の梁部材３０と梁連結材３１とが配置された状態でボルト７を挿通させることが可能である。このため、各梁挿通孔３０ｋに挿通させたボルト７を螺合して２本の梁部材３０を容易に連結することが可能である。
【００３８】
また、２つの連結材側基準孔３１ｃの間隔に基づいて、各々の梁部材３０における梁側基準孔３０ｊに対する小口３０ａの位置が設定されているので、２つの連結材側基準孔３１ｃの位置と各々の梁部材３０の梁側基準孔３０ｊの位置とが一致している状態で、各梁部材３０の小口３０ａ同士を当接させて突き合わせることが可能である。このため、梁部材３０の小口３０ａ同士が当接されて連結されるので、２本の梁部材３０の連結部分における梁３の曲がりの発生を抑制することが可能である。
【００３９】
また、各々の梁部材３０の中空部３０ｂに挿入されている梁連結材３１の同一平面をなす下外面部３１ｂに２つの連結材側基準孔３１ｃと螺合孔３１ｄとが設けられているので、２つの連結材側基準孔３１ｃに対する螺合孔３１ｄの位置精度をより高めることが可能である。このため、より位置精度が高い２つの連結材側基準孔３１ｃと一致している梁側基準孔３０ｊが設けられている梁部材３０の複数の梁挿通孔３０ｋと梁連結材３１の複数の螺合孔３１ｄとの位置を容易に合わせることが可能である。
【００４０】
また、連結材側基準孔３１ｃと梁側基準孔３０ｊとに挿通されて２本の梁部材３０と梁連結材３１とを位置合わせするピン９は、連結材側基準孔３１ｃ及び梁側基準孔３０ｊに嵌入される円柱部９ａの長さが、梁部材３０の下面部３０ｆの肉厚と梁連結材３１の肉厚とを合わせた厚みよりも長いので、連結材側基準孔３１ｃと梁側基準孔３０ｊとに、いずれもピン９の円柱部９ａを配置することが可能である。このため、連結材側基準孔３１ｃと梁側基準孔３０ｊとの中心同士を一致させることが可能である。このため、より高い精度にて２本の梁部材３０と梁連結材３１とを位置合わせすることが可能である。
【００４１】
また、連結材側基準孔３１ｃ及び梁側基準孔３０ｊと円柱部９ａとのクリアランスは、梁挿通孔３０ｋとボルト７とのクリアランスより小さいので、連結材側基準孔３１ｃ及び梁側基準孔３０ｊに円柱部９ａを、ボルト７よりも先に嵌入することにより、各梁挿通孔３０ｋに挿通させた複数のボルト７を各螺合孔３１ｄにより容易に螺合させることが可能である。
【００４２】
上記実施形態においては、ピン９が嵌入される梁側基準孔３０ｊと連結材側基準孔３１ｃとが、梁３の下面側に位置する下面部３０ｆと下外面部３１ｂに設けられている例について説明したが、これに限るものではない。例えば、ピンが挿入される基準孔は、梁部材及び梁連結材の上面側のみ、または、上下の両面に設けられていても構わない。
また、上記実施形態においては、梁３の下面側にて梁部材３０と梁連結材３１と先に接合した後に、梁３の上面側にて梁部材３０と梁連結材３１とを接合する連結方法について説明したが、これに限るものではない。例えば、上面側にピンが嵌入される構成の場合には、上面側にて梁部材と梁連結材と先に接合した後に、下面側にて梁部材と梁連結材とを接合しても構わない。
【００４３】
上記実施形態においては、２本の梁部材３０が長手方向に連ねて連結される長尺材の連結構造及び長尺材の連結方法について説明したが、長尺材は、必ずしも長手方向に連ねて連結されていなくともよい。例えば、２本の長尺材が、所定の角度をなして連結されていても、一方の長尺材の小口が他方の長尺材に当接され、一方の長尺材の小口から突出した長尺材連結材が、他方の長尺材側に入り込んで２本の長尺材に掛け渡されており、長尺材連結材に設けられた２つの連結材側基準孔の位置と各々の長尺材に設けられた長尺材側基準孔の位置とが一致している状態で連結されていれば構わない。
【００４４】
本実施形態の２本の梁部材３０の連結構造によれば、２つの梁部材３０の、突き合わされている下面部３０ｆと、２つの梁部材３０に掛け渡されて下面部３０ｆを両面側から挟む下外面部３１ｂ及び当接板部３２ａとに単一のドリルねじ８が螺合されて締結されているので、連結された状態では、ドリルねじ８と下面部３０ｆとの間にクリアランスが生じない。このため、連結した２つの梁部材３０の相対位置の変化が生じ難い梁部材３０の連結構造を提供することが可能である。
【００４５】
また、下面部３０ｆは、当該下面部３０ｆが設けられている２つの梁部材３０よりも剛性が高い下外面部３１ｂ及び当接板部３２ａに両面側から挟まれているので、たとえ、ドリルねじ８から下面部３０ｆに支圧が作用したとしても、ドリルねじ８が喰い込むときに下面部３０ｆが厚み方向に膨らむ空間が存在しない。このため、下面部３０ｆに支圧が作用したとしても、下面部３０ｆにおいてドリルねじ８が螺合されている孔は広がらないので、連結した２つの梁部材３０の相対位置が変化することを抑制することが可能である。
【００４６】
また、２つの梁部材３０の下面部３０ｆと、下外面部３１ｂ及び当接板部３２ａとがボルト７のみにより締結されている場合には、互いに隣り合うボルト７の螺合箇所の間において下面部３０ｆと、当該下面部３０ｆを両面側から挟む下面部３０ｆと、下外面部３１ｂ及び当接板部３２ａとの間に浮きが生じ易い。上記２つの梁部材３０の連結構造によれば、互いに隣り合うボルト７の螺合箇所の間にドリルねじ８が螺合されているので、ボルト７の螺合箇所の間をドリルねじ８により密着させておくことが可能である。このため、連結した２つの梁部材３０の相対位置の変化が生じることを、より確実に抑制することが可能である。
【００４７】
また、下外面部３１ｂ及び当接板部３２ａのうちの下外面部３１ｂに設けられている螺合孔３１ｄに、当接板部３２ａと下面部３０ｆとに挿通されているボルト７が螺合されているので、ナットを用いることなく、２つの梁部材３０を連結することが可能である。
【００４８】
また、本実施形態の梁部材３０の連結方法によれば、２つの梁部材３０の、突き合わされている下面部３０ｆと、２つの梁部材３０に掛け渡されて下面部３０ｆを両面側から挟む下外面部３１ｂ及び当接板部３２ａとに単一のドリルねじ８を各々螺合して締結するので、連結された２つの梁部材３０とドリルねじ８との間にクリアランスが生じない。このため、連結した２つの梁部材３０の相対位置の変化が生じ難い梁部材３０の連結方法を提供することが可能である。
【００４９】
また、上記実施形態においては、各梁部材３０に２つの梁側基準孔３０ｊが設けられ、梁連結材３１に４個の連結材側基準孔３１ｃが設けられている例について説明したが、これに限らず、少なくとも各梁部材に１つの梁側基準孔が設けられ、梁連結材の両端部側にそれぞれ１個の連結材側基準孔が設けられていれば構わない。
【００５０】
また、上記実施形態においては、梁連結材３１に設けられている螺合孔３１ｄにボルト７を螺合する例について説明したが、これに限るものではない。例えば、梁連結材にボルトが挿通される挿通孔が設けられており、当接板部、下面部とともに挿通されたボルトにナットが螺合されて締結されていても構わない。
【００５１】
上記実施形態においては、挿通部材をピン９とした例について説明したが、これに限らず、例えば、挿通部材は、梁部材及び梁連結材のいずれにも螺合されるねじであっても構わない。
【００５２】
上記実施形態においては、長尺材として梁を例に挙げて説明したが、これに限るものではない。例えば、桁、母屋、枠など、断面の縦及び横の長さよりも、断面と直交する方向の長さが十分に長い部材が長尺材に相当する。
【００５３】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００５４】
本実施形態には、少なくとも以下の発明が含まれる。
長手方向に連ねられる２本の長尺材と、前記２本の長尺材に掛け渡される長尺材連結材と、を有し、各々の前記長尺材は、基準となる長尺材側基準孔と、前記長尺材側基準孔に基づいて配置され複数のボルトが挿通される挿通孔と、を有し、前記長尺材連結材は、基準となる２つの連結材側基準孔と、前記連結材側基準孔に基づいて配置され前記複数のボルトが螺合される螺合孔と、を有し、前記２つの連結材側基準孔の位置と各々の前記長尺材の前記長尺材側基準孔の位置とが一致している状態で連結されていることを特徴とする長尺材の連結構造である。
【００５５】
このような長尺材の連結構造によれば、長尺材連結材に設けられている２つの連結材側基準孔が、２本の長尺材に各々設けられている長尺材側基準孔と一致している状態で２本の長尺材が連結されるので、連結材側基準孔に基づいて配置されている複数の螺合孔と、各長尺材に設けられている複数の挿通孔の位置とが一致する。このため、重なるべき挿通孔と螺合孔との位置が全て重なる状態に、２本の長尺材と長尺材連結材とが配置された状態でボルト挿通させることが可能である。このため、各挿通孔に挿通させたボルトを螺合して２本の長尺材を容易に連結することが可能である。
【００５６】
かかる長尺材の連結構造であって、前記２本の長尺材は、互いの小口が突き合わされて連結されており、前記２つの連結材側基準孔の間隔に基づいて、各々の前記長尺材における前記長尺材側基準孔に対する前記小口の位置が設定されていることを特徴とする。
【００５７】
このような長尺材の連結構造によれば、２つの連結材側基準孔の間隔に基づいて、各々の長尺材における長尺材側基準孔に対する小口の位置が設定されているので、２つの連結材側基準孔の位置と各々の長尺材の長尺材側基準孔の位置とが一致している状態で、各長尺材の小口同士を当接させて突き合わせることが可能である。このため、長尺材の小口同士が当接されて連結されるので、２本の長尺材の連結部分における曲がりの発生を抑制することが可能である。
【００５８】
かかる長尺材の連結構造であって、各々の前記長尺材部材は、長手方向に貫通し断面が同一の矩形状の中空部を備えており、前記長尺材連結材は、断面が矩形状をなして前記２本の長尺材の前記中空部内に挿入されており、前記２つの連結材側基準孔と前記螺合孔とは、前記長尺材連結材の同一平面をなす外側面に設けられていることを特徴とする。
【００５９】
このような長尺材の連結構造によれば、各々の長尺材の中空部に挿入されている長尺材連結材の同一平面をなす外側面に２つの連結材側基準孔と螺合孔とが設けられているので、２つの連結材側基準孔に対する螺合孔の位置精度をより高めることが可能である。このため、より位置精度が高い２つの連結材側基準孔と一致している長尺材側基準孔が設けられている長尺材の複数の挿通孔と長尺材連結材の複数の螺合孔との位置を容易に合わせることが可能である。
【００６０】
かかる長尺材の連結構造であって、前記連結材側基準孔と前記長尺材側基準孔とは、それらを挿通する挿通部材により位置が一致されており、前記挿通部材は、前記連結材側基準孔及び前記長尺材側基準孔に嵌入される円柱部を有しており、前記円柱部の長さは、前記長尺材の肉厚と、前記長尺材連結材の肉厚とを加えた厚みよりも長いことを特徴とする。
【００６１】
このような長尺材の連結構造によれば、連結材側基準孔と長尺材側基準孔とに挿通されて２本の長尺材と長尺材連結材とを位置合わせする挿通部材は、連結材側基準孔及び長尺材側基準孔に嵌入される円柱部の長さが、長尺材の肉厚と、長尺材連結材の肉厚とを加えた厚みよりも長いので、連結材側基準孔と長尺材側基準孔とに、いずれも挿通部材の円柱部を配置することが可能である。このため、連結材側基準孔と長尺材側基準孔との中心同士を一致させることが可能である。このため、より高い精度にて２本の長尺材と長尺材連結材とを位置合わせすることが可能である。
【００６２】
かかる連結構造であって、前記連結材側基準孔及び前記長尺材側基準孔と前記円柱部とのクリアランスは、前記挿通孔と前記ボルトとのクリアランスより小さいことを特徴とする。
【００６３】
このような長尺材の連結構造によれば、連結材側基準孔及び長尺材側基準孔と円柱部とのクリアランスは、挿通孔とボルトとのクリアランスより小さいので、連結材側基準孔及び長尺材側基準孔に円柱部を、ボルトよりも先に嵌入することにより、各挿通孔に挿通させた複数のボルトを各螺合孔により容易に螺合させることが可能である。
【符号の説明】
【００６４】
６  ボルト、８  ピン、９ａ  円柱部、２０  梁部材３０ａ  小口、
３０ｂ  中空部、３０ｊ  梁側基準孔、３０ｋ  梁挿通孔、２１  梁連結材、
３１ｅ  下面、３１ｃ  連結材側基準孔、３１ｄ  螺合孔
【図１】
2020111884.tif 000003
【図２】
2020111884.tif 000004
【図３】
2020111884.tif 000005
【図４】
2020111884.tif 000006
【図５】
2020111884.tif 000007
【図６】
2020111884.tif 000008
【図７】
2020111884.tif 000009
【図８】
2020111884.tif 000010
【図９】
2020111884.tif 000011
【図１０】
2020111884.tif 000012